(57)【要約】【課題】１つの超電導コイルを複数の分割コイルにより形成し、各分割コイルに効率良く電流を流して大きな起磁力を発生させることを課題としている。【解決手段】超電導テープ線を同一巻回数で形成した複数の分割コイルを備え、前記複数の分割コイルを軸線方向に沿って並列配置し、これら複数の各分割コイルはそれぞれ電源接続部を備え、軸線方向の中央部の分割コイルと軸線方向の両側の分割コイルは異なる電源に接続され、軸線方向の中央部の分割コイルは軸線方向の両側の分割コイルより大きな電圧が印加される構成としている。【選択図】図１
2008047561.tif 000002
【特許請求の範囲】
【請求項１】
超電導テープ線を同一巻回数で形成した複数の分割コイルを備え、
前記複数の分割コイルを軸線方向に沿って並列配置し、
これら複数の各分割コイルはそれぞれ電源接続部を備え、軸線方向の中央部の分割コイルと軸線方向の両側の分割コイルは異なる電源に接続され、軸線方向の中央部の分割コイルは軸線方向の両側の分割コイルより大きな電圧が印加される構成としている超電導コイル。
【請求項２】
前記分割コイルに印加する電圧を軸線方向の中心に対して対称とし、両端の分割コイルから中央の分割コイルにかけて印加される電圧を段階的に大きくしている請求項１に記載の超電導コイル。
【請求項３】
請求項１または請求項２に記載の超電導コイルを備えた超電導機器。
【発明の詳細な説明】
【技術分野】
【０００１】
本発明は、超電導コイルおよび該超電導コイルを備えた超電導機器に関し、詳しくは、１つの超電導コイルを複数の分割コイルにより形成し、各分割コイルに効率良く電流を流して大きな起磁力を発生するものである。
【背景技術】
【０００２】
従来、本出願人は、特開平８−１９０８２３号公報（特許文献１）において、帯状の超電導テープ線１をソレノイド状に巻いた図３に示す超電導コイル２を、また、特開平１１−３４００７１号公報（特許文献２）において超電導テープ線１をパンケーキ状に巻いた図４に示す超電導コイル３を提供している。
前記ソレノイド状の超電導コイル２が軸線方向に長尺であるのに対して、パンケーキ状の超電導コイル３は軸線方向に偏平であるため、複数の超電導コイル３を軸線方向に重ね合わせて隣接する超電導コイル３同士を直列に接続することにより１つの超電導コイル４を形成している。
【０００３】
ところで、超電導テープ線は磁場の影響を受けやすく、帯状の超電導テープ線の幅広面に対して直交方向の磁場がかかると臨界電流が低下して、超電導の特性を効率良く発揮できなくなる問題がある。
前記超電導コイル２、４では、超電導コイル２、４に電流を通電すると、図５（Ａ）に示すようような磁場５が発生し、超電導コイル２、４の軸線方向Ｘの各位置の超電導テープ線にかかる直交方向の磁場は、図５（Ｂ）に示すように、軸線方向Ｘの中央で最も小さく、両側へいくに従って大きくなる。
よって、超電導コイル２、４の軸線方向Ｘの各位置の超電導テープ線の臨界電流は、図５（Ｃ）に破線で示すように、超電導コイル２、４の軸線方向Ｘの中央付近は大きいが、両側へいくに従って小さくなる。
【０００４】
ソレノイド状の超電導コイル２は１本の超電導テープ線からなり、超電導コイル４は複数のパンケーキ状の超電導コイル３を直列接続しているため、図５（Ｃ）に実線で示すように、超電導コイル２、４には、コイル両端の臨界電流よりも小さな電流が均一に流れる。
よって、超電導コイル２、４の軸線方向Ｘの中央付近では、臨界電流が大きいにもかかわらず、少しの電流しか流すことができず、負荷率（電流値／臨界電流値）が低く、軸線方向Ｘの中央付近の超電導テープ線を有効に利用できていない。
【０００５】
また、前記パンケーキ状の超電導コイル３を軸線方向Ｘに重ね合わせ、図６（Ａ）に示すように、各超電導コイル３を１つの電源７に並列接続した超電導コイル６では、両端の超電導コイル３Ａのインダクタンスが他の超電導コイル３Ｂよりも小さくなって電流が流れやすくなる。よって、図６（Ｂ）に示すように、軸線方向Ｘの両端の超電導コイル３Ａには大きな電流が流れるが、両端を除いた中央の超電導コイル３Ｂには両端の超電導コイル３Ａに比べて小さな電流しか流れない。
このように、軸線方向両端の超電導コイル３Ａには、大きな電流を流すことができるが、この電流値を前記臨界電流値よりも小さく設定しなければならず、中央の超電導コイル３に流せる電流はますます小さくなり、超電導コイル６においても、軸線方向の中央付近の超電導テープ線を有効に利用できていない。
【０００６】
【特許文献１】特開平８−１９０８２３号公報
【特許文献２】特開平１１−３４００７１号公報
【発明の開示】
【発明が解決しようとする課題】
【０００７】
本発明は前記問題に鑑みてなされたものであり、１つの超電導コイルを複数の分割コイルにより形成し、各分割コイルに効率良く電流を流して大きな起磁力を発生させることを課題としている。
【課題を解決するための手段】
【０００８】
前記課題を解決するため、本発明は、超電導テープ線を同一巻回数で形成した複数の分割コイルを備え、
前記複数の分割コイルを軸線方向に沿って並列配置し、
これら複数の各分割コイルはそれぞれ電源接続部を備え、軸線方向の中央部の分割コイルと軸線方向の両側の分割コイルは異なる電源に接続され、軸線方向の中央部の分割コイルは軸線方向の両側の分割コイルより大きな電圧が印加される構成としている超電導コイルを提供している。
【０００９】
本発明の超電導コイルでは、軸線方向の中央部の分割コイルと軸線方向の両側の分割コイルを異なる電源に接続し、軸線方向の中央部の分割コイルに軸線方向の両側の分割コイルより大きな電圧を印加することにより、軸線方向の中央の分割コイルにも大きな電流を流せるようにしている。
これにより、中央の分割コイルに効率良く電流を流して負荷率を高めることができ、高い起磁力（電流値×ターン数）を発生させることができる。また、本発明の超電導コイルは負荷率を高めているため、従来の超電導コイルに比べて超電導テープ線の量を低減してコイル自体を小型化することができる。
【００１０】
前記分割コイルに印加する電圧を軸線方向の中心に対して対称とし、両端の分割コイルから中央の分割コイルにかけて印加される電圧を段階的に大きくしていることが好ましい。
前記構成によれば、各分割コイルの臨界電流に応じてより適度な電圧を印加することができ、より効率良く各分割コイルに電流を流すことができる。
また、軸線方向の中央から等距離に配置した分割コイルを同一の電源に並列接続すれば、多くても電源の個数を、分割コイルが偶数ｎ個の場合にはｎ／２個、分割コイルが奇数ｍ個の場合には（（ｍ−１）／２）＋１個とすることができる。
【００１１】
さらに、本発明は、前記超電導コイルを備えた超電導機器を提供している。
前記超電導機器としては、モータ、発電機、変圧器、超電導電力貯蔵装置（ＳＭＥＳ）、限流器等が挙げられる。
【発明の効果】
【００１２】
前述したように、本発明によれば、超電導テープ線を同一巻回数で形成した分割コイルを軸線方向に沿って並列配置し、軸線方向の中央部の分割コイルに軸線方向の両側の分割コイルより大きな電圧を印加することにより、中央の分割コイルに効率良く電流を流して負荷率を高めることができ、高い起磁力（電流値×ターン数）を発生させることができる。また、本発明の超電導コイルは負荷率を高めているため、従来の超電導コイルに比べて超電導テープ線の量を低減してコイル自体を小型化することができる。
【発明を実施するための最良の形態】
【００１３】
本発明の実施形態を図面を参照して説明する。
図１は、本発明の第１実施形態を示す。
本実施形態の超電導コイル１０は、モータからなる超電導機器に用いられるものであり、帯状のビスマス系超電導テープ線１１をダブルパンケーキ状に巻回した分割コイル１２を複数個（本実施形態では１８個）備え、これら分割コイル１２を軸線方向Ｘに並列配置し、各分割コイル１２の電源接続部１２ａをリード線１４を介してそれぞれ所要の電源１３に接続している。電源接続部１２ａでは、超電導テープ線１１とリード線１４をハンダ付けしている。
【００１４】
前記分割コイル１２はターン数を全て均一の７６ターンとしており、これら分割コイル１２を軸線方向Ｘの配置位置に応じて異なる電源１３にそれぞれ接続している。
詳細には、軸線方向Ｘの中央の１０個の分割コイル１２Ａを電源１３Ａに接続し、該分割コイル１２Ａの両側の２つの分割コイル１２Ｂを電源１３Ｂに接続し、該分割コイル１２Ｂの軸線方向端部側に配置された２つの分割コイル１２Ｃを電源１３Ｃに接続し、該分割コイル１２Ｃの軸線方向端部側に配置された２つの分割コイル１２Ｄを電源１３Ｄに接続し、該分割コイル１２Ｄの軸線方向端部側に配置された２つの分割コイル１２Ｅを電源１３Ｅに接続して、分割コイル１２Ａ〜１２Ｅにそれぞれ２００、１９１、１７６、１５８、１３６ボルトの電圧を印加している。
即ち、分割コイル１２Ａ〜１２Ｅに印加する電圧を軸線方向Ｘの中央で対称とし、両端の分割コイル１２Ｅから中央の分割コイル１２Ａにかけて印加する電圧を段階的に大きくしている。
【００１５】
前記構成によれば、各分割コイル１２Ａ〜１２Ｅの臨界電流に応じて印加する電圧値を相違させることにより、軸線方向Ｘの中央の分割コイルにも大きな電流を流せるようにしている。
これにより、中央の分割コイルに効率良く電流を流して負荷率を高めることができ、高い起磁力（電流値×ターン数）を発生させることができる。また、本発明の超電導コイルは負荷率を高めているため、従来の超電導コイルに比べて超電導テープ線の量を低減してコイル自体を小型化することができる。
また、本実施形態では、全ての分割コイル１２のターン数を均一として、各分割コイル１２に印加する電圧のみを変えているため、設計を容易にすることができる。
【００１６】
なお、本実施形態では、パンケーキ状の分割コイルをそれぞれ電源に接続しているが、複数のソレノイド状の分割コイルをそれぞれ電源に接続してもよい。
また、本実施形態では、超電導コイルの冷却構造について説明及び図示を省略しているが、液体窒素等の冷媒を収容した断熱性を有する容器内に超電導コイルを配置して超電導温度まで冷却している。
さらに、本実施形態では、超電導コイルをモータからなる超電導機器に用いているが、発電機、変圧器、超電導電力貯蔵装置（ＳＭＥＳ）あるいは限流器からなる他の超電導機器に用いてもよい。
【００１７】
図２は、本発明の第２実施形態を示す。
本実施形態では、帯状のビスマス系超電導テープ線２１をダブルパンケーキ状に巻回した分割コイル２２を軸線方向Ｘに並列配置した超電導コイル２０を２つ設け、各分割コイル２２の電源接続部２２ａをリード線２４を介してそれぞれ所要の電源２３に接続している。
【００１８】
前記分割コイル２２はターン数を全て均一としており、これら分割コイル２２を軸線方向Ｘの配置位置に応じて異なる電源２３にそれぞれ接続している。
詳細には、軸線方向Ｘの中央に対して対称位置に配置された分割コイル２２Ａ〜２２Ｉをそれぞれ同一の電源２３Ａ〜２３Ｉに接続しており、分割コイル２２Ａ〜２２Ｉにそれぞれ１９９．８、１８６．２、１７４．２、１６３．８、１５５．０、１４７．８、１４２．２、１３８．２、１３５．８ボルトの電圧を印加している。
なお、本実施形態では、電源２３に２つの超電導コイル２０を接続しているが、３つ以上の超電導コイルを接続してもよい。
【００１９】
前記実施の形態はすべての点で例示であって制限的なものではないと考えられるべきである。本発明の範囲は、前記した意味ではなく、特許請求の範囲によって示され、特許請求の範囲と均等の意味および範囲内でのすべての変更が含まれることが意図される。
【産業上の利用可能性】
【００２０】
本発明の超電導コイルは、自動車等の駆動用モータや、その他発電機、変圧器、超電導電力貯蔵装置（ＳＭＥＳ）等の超電導機器に用いられるものである。
【図面の簡単な説明】
【００２１】
【図１】本発明の第１実施形態を示し、（Ａ）は超電導コイルの概略図、（Ｂ）は分割コイルの位置と通電される電流値の関係を示す図面である。
【図２】本発明の第２実施形態の超電導コイルの概略図である。
【図３】従来のソレノイド状の超電導コイルを示す図面である。
【図４】従来のパンケーキ状の超電導コイルを示す図面である。
【図５】（Ａ）〜（Ｃ）は従来例の問題点を示す図面である。
【図６】（Ａ）（Ｂ）は他の従来例の問題点を示す図面である。
【符号の説明】
【００２２】
１０、２０  超電導コイル
１１、２１  超電導テープ線
１２、２２  分割コイル
１２ａ、２２ａ  電源接続部
１３、２３  電源
【図１】
2008047561.tif 000003
【図２】
2008047561.tif 000004
【図３】
2008047561.tif 000005
【図４】
2008047561.tif 000006
【図５】
2008047561.tif 000007
【図６】
2008047561.tif 000008